(57)【要約】  少なくとも２つの異なるデータ処理ユニット（１０，１２，１４）を備えたシステムのためのコンピュータ制御型権利マネージメント方法において、中央権利マネージャ（１６）が設けられている。この中央権利マネージャ（１６）は、データ処理ユニット（１０，１２，１４）のために定められているデータに対応づけられている権利情報を管理し、これらの権利情報に依存して各データ処理ユニット（１０，１２，１４）のために定められているデータの利用を許可する。
2008515071.tif 000002
【特許請求の範囲】
【請求項１】
少なくとも２つの異なるデータ処理ユニット（１０，１２，１４）を備えたシステムのためのコンピュータ制御型権利マネージメント方法において、
中央権利マネージャ（１６）が設けられており、該中央権利マネージャ（１６）は、前記データ処理ユニット（１０，１２，１４）のために定められているデータに対応づけられた権利情報を管理し、該権利情報に依存して、前記データ処理ユニット（１０，１２，１４）のために定められているデータの利用を許可することを特徴とする、
コンピュータ制御型権利マネージメント方法。
【請求項２】
請求項１記載の方法において、
前記データ処理ユニット（１０，１２，１４）のために定められているデータおよび該データに対応づけられている権利情報が前記中央権利マネージャ（１６）にいっしょ伝達され、ついで利用許可されたデータが前記中央権利マネージャ（１６）から前記データ処理ユニット（１０，１２，１４）へ伝達されることを特徴とする方法。
【請求項３】
請求項１記載の方法において、
前記データ処理ユニット（１０，１２，１４）のために定められているデータが該データ処理ユニット（１０，１２，１４）へ伝達され、前記データに対応づけられている権利情報が前記中央権利マネージャ（１６）に伝達され、利用許可されたデータを処理するためデータ処理ユニット（１０，１２，１４）が該中央権利マネージャ（１６）によりイネーブル状態にされることを特徴とする方法。
【請求項４】
請求項２または３記載の方法において、
前記中央権利マネージャ（１６）により暗号化データの鍵が付加的に管理され、該暗号化データの復号が行われ、復号されたデータがついで前記データ処理ユニット（１０，１２，１４）に伝達されることを特徴とする方法。
【請求項５】
請求項２または３記載の方法において、
前記中央権利マネージャ（１６）により暗号化データの鍵が付加的に管理され、ついで該鍵が前記データ処理ユニット（１０，１２，１４）に伝達され、該データ処理ユニット（１０，１２，１４）によりデータの復号が行われることを特徴とする方法。
【請求項６】
請求項１から３のいずれか１項記載の方法において、
前記中央権利マネージャ（１６）により権利情報が、信号受信機（１８）を介して無線インタフェースによりサーバに対して要求され、または記憶媒体を介して要求され、該権利情報が取得されることを特徴とする方法。
【請求項７】
請求項４または５記載の方法において、
前記中央権利マネージャ（１６）により前記権利情報に依存して暗号化データを復号するための鍵が、信号受信機（１８）を介して無線インタフェースによりサーバに対し要求され、または記憶媒体を介して要求され、該鍵が取得されることを特徴とする方法。
【請求項８】
データ処理ユニット（１０，１２，１４）、ネットワークに組み入れられたデータ処理ユニット、およびネットワークに組み入れられていない個別のデータ処理ユニットから成る統合システムのために用いられることを特徴とする、
請求項１から７のいずれか１項記載の方法の使用。
【発明の詳細な説明】
【技術分野】
【０００１】
本発明は、独立請求項である請求項１に記載されているような上位概念から出発している。
【０００２】
データのディジタル化およびそれらのデータ処理ならびにデータ評価が増えるにつれて、ビデオや音楽、情報あるいはその他のデータといった法的に保護されているコンテンツを、品質を損なうことなく簡単にコピーすることができるようになっており、および／またはインターネットや無線伝送システムのような配布メディアを介して簡単に配布することができるようになっている。その際、所有者の権利が侵害されて、データが不法に利用されることが多い。この理由から、データはたとえばコピー保護方式などによって保護されることが多くなってきている。この場合、種々の方式が適用されている。
【０００３】
音楽ＣＤの場合にはたとえばデータ担体が、ＰＣのＣＤ−ＲＯＭ機器によってもそのデータ担体を読み出せないよう符号化される。これによって少なくともほとんどのユーザにとっては、コピーの作成が不可能となる。また、ラジオやテレビジョンのようなブロードキャストメディアの分野では、暗号化方式が適用される。この場合にはデータを利用できるようにする目的で受信機に復号コンポーネントを設けなくてはならず、たとえばＤＶＢの場合には共通インタフェースCommon Interfaceを介して、データを復号しそれによってデータを利用できるようにする条件アクセスモジュールConditional Access Moduleが使用可能でなければならない。
【０００４】
別の方法として挙げられるのは、データに対する補足情報としてディジタル権利情報を使用することであり、このような補足情報によって、いつどのようなユーザがどのようなデータをどこでどれくらいの期間にわたり利用してよいのかが規定される。オプションとして暗号化を行うことができる。この種の方法はたとえばMicrosoftによってMedia-Playerに適用されている。この場合、権利および鍵をローカルにも存在させることもできるし、サーバにおくこともできる。本来のデータに対し権利情報をどのように加えるのかについては、たとえばISO MPEG 21で仕様が決められており、標準化されている。
【０００５】
保護しなければならない多数の様々なデータが利用されるあらゆる場所において、多種多様な再生機器が必要とされる。車両においてはたとえば、オーディオデータやビデオデータが利用される可能性があるしナビゲーションデータも利用される可能性があり、また、メッセージ、株式相場、旅行情報といった他の情報データおよび娯楽データ、さらにはエンジン特性のような車両固有のデータが利用される可能性もある。これらすべてのデータのために、それらのデータを処理し場合によってはユーザに呈示する様々な機器あるいはモジュールが存在する。つまりたとえばＣＤの音楽データはＣＤプレーヤによって処理されるし、ナビゲーションデータはナビゲーションユニットによって処理される。このようなシステムにおいては、個々の機器またはデータ処理ユニットがそれぞれ異なるメーカの製品であることが多い。また、個々の機器がネットワークに組み入れられているだけでなく、個々のデータ処理ユニットが１つのシステム全体に組み込まれている可能性もある。本発明は、これらの事例について制約なく適用されるものである。
【０００６】
これらのデータすべてを不法な利用から保護しようとするならば、これらのデータすべてに権利情報を設け、オプションとして暗号化しなければならない。しかしながらこのことは、現在の技術水準からすればラジオ、ナビゲーション、ＣＤプレーヤ、ＤＶＤプレーヤ、エンジン制御装置ならびに保護する価値のあるデータを処理する他の機器各々に、固有の権利管理手段、固有の権利評価手段および場合によっては固有の復号コンポーネントを設けなければならないことを意味することになる。
【０００７】
発明の利点
これに対して本発明によれば、１つの権利管理手段、１つの権利評価手段および場合によっては１つの暗号化コンポーネントだけで十分とする中央権利マネージメント手段が用いられる。したがって各データ処理ユニット自体がデータから権利情報を抽出したり、あるいはそれらがたとえばサーバなど外部に対して問い合わせたりする必要がない。また、個々のデータ処理ユニット各々が自身でデータに対する権利を管理する必要もなく、つまりそれらの有効性を監視し、それらを格納し、場合によっては消去する必要もない。これらすべての役割を中央ユニットが担うので、その機能をシステム全体において１つだけ設ければよい。
【０００８】
このようにして個々のデータ処理ユニットをいっそう簡単に保持することができる。なぜならば、それらのデータ処理ユニットは権利を管理し評価する必要がないからである。また、暗号化を中央で行っても、データ処理ユニットの複雑さは権利マネージメントのない現在のシステムより高まらない。これによって、車両に組み込まれるような統合型システムにおけるコストが実質的に低減される。
【０００９】
ここで「データ処理ユニット」という用語は、個々のアプリケーション各々のための別個のデータ処理ユニットのことも意味するし、複数の種々のアプリケーションを実行可能な１つのデータ処理ユニットのことも意味する。
【００１０】
すべての権利を管理し場合によっては復号も行うただ１つのユニットだけしか設けられていなければ、コストが著しく抑えられ、かつそのような１つのコンポーネントを外部からの不所望な攻撃ないしは操作から保護するのがいっそう簡単になる。このようにすれば、上述のような付加的な手間を１回だけ行えばよくなる。しかも、個々の処理コンポーネントの供給業者各々がそれらのシステムパートを自身で実装し完成させてＯＥＭ供給するよりも、システム全体を提供するＯＥＭ業者が、上述のようなセキュリティ措置を著しく簡単に決定して監視することができる。
【００１１】
本発明による方法を、権利情報の形式が統一されたものとなるよう、ＭＰＥＧ２１のような標準の使用をベースとすることができる。これによって自由で対等な市場が得られることになり、コストを高めることによってしかたとえば自動車など１つの統合システムに組み込めない独占的な個別システムが回避されることになる。
【００１２】
従属請求項には本発明の有利な実施形態が記載されている。
【００１３】
図面
次に、図面を参照しながら実施例に基づき本発明について詳しく説明する。
【００１４】
図１は、第１の実施形態によるコンピュータ制御型権利マネージメント手段を備えた種々のデータ処理ユニットのブロック図であり、図２は、第２の実施形態によるコンピュータ制御型権利マネージメント手段を備えた種々のデータ処理ユニットのブロック図である。
【００１５】
実施例の説明
図１には、第１の実施形態によるコンピュータ制御型権利マネージメント手段を備えた種々のデータ処理ユニット１０，１２，１４のブロック図が示されている。データ処理ユニット１０，１２，１４はたとえばＭＰ３プレーヤ１０、ナビゲーションシステム１２およびインターネットを介した情報サービス１４である。データ処理ユニット１０，１２，１４はユーザのためのマルチメディアデータを用意する。このようなマルチメディアデータを、テキスト信号、オーディオ信号、娯楽用のビデオ信号、ナビゲーションデータ、テレマティックデータ、ＵＭＴＳ，ＧＰＲＳといった通信技術を介した情報サービスあるいは任意のインターネット情報とすることができる。データ処理ユニット１０，１２，１４は、図示されていない操作機器および再生機器によりユーザインタフェース２０を介して制御可能である。データ処理ユニット１０，１２，１４はさらに、信号受信機１８および中央権利マネージャ１６と接続されている。
【００１６】
この場合、マルチメディアデータを、要求に応じて無線インタフェースおよび信号受信機１８を介して、あるいはポータブル記憶媒体を介して、データ処理ユニット１０，１２，１４へ到達させることができる。マルチメディアデータには権利情報を設けることができ、場合によってはさらに暗号化しておくこともでき、その目的は、権限の付与された人またはそれらのグループだけがデータにアクセスできるようにすることにある。その際、権利情報および場合によってはデータを復号するための鍵を、データといっしょにあるいはそれらとは別個に伝達することができる。この場合、暗号化方式およびデータと権利情報との結合形式は任意である。
【００１７】
本発明によればすべての権利およびオプションとしての鍵が、中央ユニットである権利マネージャ１６において管理される。権利マネージャ１６は権利情報および鍵をデータといっしょにまたはそれらとは別個に受けることができ、あるいは権利情報と鍵を自動的に信号受信機１８を介して無線インタフェースによりサーバから取得することができる。図１による実施形態によれば、権利情報の評価は権利マネージャ１６において行われ、すべてのデータもこの権利マネージャ１６を経由して伝達される。ユーザによるデータの利用が許可されているならば、権利マネージャ１６はデータの利用を許可し、これによりデータ処理ユニット１０，１２，１４はそれらのデータをユーザインタフェース２０、操作機器および再生機器を介してユーザに呈示することができる。その際に復号をデータ処理ユニット１０，１２，１４において、あるいは中央権利マネージャ１６において行うことができる。
【００１８】
図２には、第２の実施形態によるコンピュータ制御型権利マネージメント手段を備えた種々のデータ処理ユニット１０，１２，１４のブロック図が示されている。この場合もやはり３つのデータ処理ユニット１０，１２，１４、ユーザインタフェース２０、信号受信機１８および中央権利マネージャ１６が設けられており、これらは互いに接続されている。
【００１９】
図１とは異なり、データと権利情報および鍵が分離される。権利と鍵は中央権利マネージャ１６によって管理される。ただしデータ自体は権利マネージャ１６によってではなく、個々のデータ処理ユニット１０，１２，１４へダイレクトに供給される。権利の評価後、データ処理ユニット１０，１２，１４は中央権利マネージャによって使用許可が出され、この実施形態では暗号化されているならば復号はデータ処理ユニット１０，１２，１４によって行われる。
【００２０】
オプションとして、権利の評価もデータ処理ユニット１０，１２，１４において行うことができ、この場合には権利マネージャ１６は単に中央で権利と鍵を取得して分配するだけとなる。ただしこのようにした場合には、データ処理ユニット１０，１２，１４の複雑さの低減という利点はなくなる。
【図面の簡単な説明】
【００２１】
【図１】第１の実施形態によるコンピュータ制御型権利マネージメント手段を備えた種々のデータ処理ユニットのブロック図
【図２】第２の実施形態によるコンピュータ制御型権利マネージメント手段を備えた種々のデータ処理ユニットのブロック図
【図１】
2008515071.tif 000003
【図２】
2008515071.tif 000004
【国際調査報告】
2008515071.tif 000005
2008515071.tif 000006
2008515071.tif 000007
2008515071.tif 000008
2008515071.tif 000009
2008515071.tif 000010